(57)【要約】【課題】イオンを安定的に発生させ、かつ安定的に存在させ、もって室内に大量のイオンを提供できる空調装置を提供する。【解決手段】空調装置内外の水分を多く含んだ空気に対して高電圧放電を行い、イオンを発生させ、このイオンを空調装置の吹出口から吹き出させる。【選択図】図１
2005289177.tif 000002
【特許請求の範囲】
【請求項１】
空調空気がエバポレータを通過して吹出口から室内へ吹き出す空調装置であって、
上記空調装置内外の水分を多く含んだ空気に対して高電圧放電を行い、イオンを発生させ、発生させたイオンを、上記エバポレータ以後であって上記吹出口以前の空調空気と合流させること、
を特徴とする空調装置。
【請求項２】
空調空気がエバポレータを通過して吹出口から室内へ吹き出す空調装置であって、
上記エバポレータが路内に配され、かつ上記吹出口と連絡する送風路と、
上記送風路の上記エバポレータより下流側に連通し、室内空気が導入される室内空気導入路と、
上記室内空気導入路内に設けられるイオン発生部と、
を備えること、
を特徴とする空調装置。
【請求項３】
上記送風路は、
上記エバポレータより下流で複数に分岐されて、複数の吹出口と連絡し、
上記室内空気導入路は、
上記送風路の分岐された少なくとも一路に連通していること、
を特徴とする請求項２に記載の空調装置。
【請求項４】
上記送風路は、
上記エバポレータより下流で複数に分岐されて、複数の吹出口と連絡し、
上記室内空気導入路は、
分岐される以前の上記送風路に連通していること、
を特徴とする請求項２に記載の空調装置。
【請求項５】
空調空気がエバポレータを通過して吹出口から室内へ吹き出す空調装置であって、
上記エバポレータが路内に配され、かつ上記吹出口と連絡する送風路と、
室内空気の入口と、空調空気および室内空気の出口と、上記入口と上記出口の間に設けられて上記送風路と連通する連通孔とを有し、かつ上記連通孔より分流される上記送風路内の空調空気の負圧作用により上記入口から室内空気を取り入れて上記分流された上記送風路内の空調空気とともに上記出口より放出するアスピレータと、
上記アスピレータ内の上記入口側であって、かつ上記連通孔より上流に設けられるイオン発生部と、
を備えること、
を特徴とする空調装置。
【請求項６】
空調空気がエバポレータを通過して吹出口から室内へ吹き出す空調装置であって、
上記エバポレータが路内に配され、かつ上記吹出口と連絡する送風路と、
上記送風路から、上記エバポレータより上流で分岐し、かつ上記エバポレータより下流で合流するエバポレータ回避バイパスと、
上記エバポレータ回避バイパス内に設けられるイオン発生部と、
を備えること、
を特徴とする空調装置。
【発明の詳細な説明】
【技術分野】
【０００１】
この発明は、イオンを発生させ、発生させたイオンを室内に提供する空調装置に関する。
【背景技術】
【０００２】
近年、マイナスイオンが、人体に良い影響を与えるとされ、脚光を浴びている。これにともない、マイナスイオンを人工的に発生させ、発生したマイナスイオンを室内に提供する空調装置がある。
【０００３】
空調装置は、例えば、送風路内に上流から順にブロワ、エバポレータ、ヒータを配し、この送風路の出口として室内との境界に吹出口が連接されて構成され、さらにブロワ、エバポレータ、ヒータを配した後の下流の送風路を分岐させてイオン送風ダクトを形成し、このイオン送風ダクト内にイオン発生用の放電針を備えている。
【０００４】
また、例えば、空調装置に備えられる温度検知用のアスピレータの出口にイオン送風ダクトを形成し、イオン送風ダクトの出口付近にイオン発生用の放電針を備えている（例えば、特許文献１参照。）。
【０００５】
このような空調装置は、針状に尖らせた放電針をマイナス電極として、高電圧を印加し、空気中に電子を放電し、例えば空気中の酸素分子を負に帯電させてマイナスイオンを発生させるものであり、マイナスイオンの周りに空気中の水分子を多数結合させることによってマイナスイオンを安定的に存在させるものである。
【０００６】
この負に帯電させた酸素分子の周りに空気中の水分子が多数結合したクラスタがマイナスイオンとして冷暖房または送風とともに吹出口から吹き出され、室内に拡散するものである。
【０００７】
【特許文献１】特開２００３−２２６１３４号公報
【発明の開示】
【発明が解決しようとする課題】
【０００８】
ところで、マイナスイオンと呼ばれるものの多くが、負に帯電した分子の周囲に空気中の水分子が多数結合した、安定したクラスタとして存在するものである。これは、負に帯電した分子のみでは不安定であり、空気中に長時間存在できないためである。
【０００９】
したがって、マイナスイオンの存在量は、空気中の水分量によって大きく変化する。空気中の水分量が少ない状態では、負に帯電した分子が安定的に存在できず、マイナスイオンの存在量は激減してしまう。
【００１０】
従来の空調装置の場合、空調空気は、エバポレータによって除湿され、この除湿された空調空気に対し高電圧放電を行ってマイナスイオンを発生させているため、空調空気内に存在する水分子が少なく、発生したマイナスイオンは安定的に存在できない。よって、従来の空調装置では、室内に提供されるマイナスイオンの存在量が極めて少なくなってしまうといった問題がある。
【００１１】
また、アスピレータの出口から出てくる空気も空調空気と室内空気の混合であり、除湿されている空調空気の分、その混合の空気も水分子の含有量が不十分の空気となっており、同様に、発生したマイナスイオンは安定的に存在できない。
【００１２】
本発明は、上述のような問題点に鑑みてなされたものであり、イオンを安定的に発生させ、かつ安定的に存在させ、もって室内に大量のイオンを提供できる空調装置を提供することにある。
【課題を解決するための手段】
【００１３】
上記課題を解決するために、本発明は、空調空気がエバポレータを通過して吹出口から室内へ吹き出す空調装置であって、上記空調装置内外の水分を多く含んだ空気に対して高電圧放電を行い、イオンを発生させ、発生させたイオンを、上記エバポレータ以後であって上記吹出口以前の空調空気と合流させること、を特徴とする。
【００１４】
ここで、空調空気とは、空調装置内のブロワにより空調装置内を通過する空気である。
【００１５】
また、エバポレータとは、空調装置における熱交換器であり、同時に空調空気の除湿がされるものである。
【００１６】
また、空調空気装置内外の水分を多く含んだ空気とは、室内室外また空調装置内の空気を問わず、水分を多く含んだ空気であればいずれでもよく、空調空気であってエバポレータを通過しない除湿前の空調空気や、空調装置が設置されている室内の室内空気も含まれる。
【００１７】
高電圧放電とは、電子を放出する行為であり、マイナス極からプラス極へ向かって電子を放出し、コロナ放電するものも含まれるし、マイナス極から直接空気中に電子を放出させるものも含まれるし、また印加される電圧はパルス性であることも含まれる。
【００１８】
イオンとは、人体への好影響を考慮して主にマイナスイオンが含まれるが、必要に応じてプラスイオンであってもかまわない。
【００１９】
室内とは、オフィスや家庭等の室内であっても、自家用車や列車等の車両の室内であっても、空調装置が設置でき、吹出口を室内に設置できるものであればいずれも含まれる。
【００２０】
このように、本発明は、イオンの発生に際し、空調装置において除湿されてしまう空気を使用せずに、水分を多く含んだ空気を意識的に使用したものであり、この水分を多く含んだ空気を使用してイオンを発生させるものである。
【００２１】
発生させたイオンは、水分子と多数結合することによって安定的に存在するものであり、水分子を除湿してしまうエバポレータを回避することによって、安定的に存在しているイオンから水分子が分離して再び不安定なイオンになってしまうことを防いでいるものである。
【００２２】
安定的に存在するイオンを吹出口以前の空調空気と合流させることにより、エバポレータによって除湿してしまう空調装置であっても大量のイオンを室内に提供できるものである。
【００２３】
すなわち、図１は、本発明の基本概念図であるが、図１に示すように、空調装置内に配される送風路４は、空調装置内の図示しないエバポレータにより除湿された空調空気たる空気の通り道であり、図示しない吹出口から室内へ吹き出す通り道である。この送風路４を通る空調空気は、エバポレータにより除湿されているため、水分含有量が少なく、この空調空気に対して高電圧放電を行いイオンを発生させても、イオンは長時間存在できない。
【００２４】
したがって、本発明では、エバポレータより下流の送風路４の途中に室内空気導入路５を連通させ、室内空気を送風路４へ取り込むものである。同時に図示しないイオン発生ユニットから延びて室内空気導入路５内に設置される放電針６によって、室内空気導入路５内を通過する室内空気に対し高電圧放電を行うものである。
【００２５】
室内空気は、除湿されてしまう空調空気に比し、水分含有量が多く、この室内空気導入路５内で放電針６により高電圧放電を行ってイオンを発生させると、発生したイオンが室内空気内の水分子と十分に多数結合できる。水分子と多数結合したイオンは、安定的に存在でき、送風路４内に大量に供給されることができ、しかもエバポレータによってイオンから水分子が分離されてしまうこともないものである。これにより、イオンは、送風路４内から空調空気とともに吹出口から吹き出し、もって空調装置から吹き出す空気には多量のイオンが含まれ、室内に多量のイオンが拡散されるものである。
【００２６】
ここで、本発明では、室内空気導入路５により室内空気を送風路４に供給しているが、高電圧放電を行うのは、室内空気と空調空気が混ざり合う前、すなわち、室内空気導入路５内に放電針６を設置して、室内空気のみの空気中で高電圧放電を行っている。これは、室内空気と空調空気が混合してしまっては、空気中の水分密度がそれだけ希薄になってしまうからであり、空気中の水分密度を考慮して、水分子密度の高い室内空気のみの空気中で高電圧放電を行うことで、大量のイオンが長時間存在しつづけることから、室内空気のみが存在する室内空気導入路５内に放電針６を設置するものである。
【００２７】
このような空調装置は、空調空気がエバポレータを通過して吹出口から室内へ吹き出す空調装置であって、上記エバポレータが路内に配され、かつ上記吹出口と連絡する送風路と、上記送風路の上記エバポレータより下流側に連通し、室内空気が導入される室内空気導入路と、上記室内空気導入路内に設けられるイオン発生部と、を備えるようにすればよい。
【００２８】
この発明は、水分を多く含んだ空気として室内の空気を使用したものである。また、室内空気導入路内にイオン発生部を設け、水分子密度の高い室内空気のみに対して高電圧放電を行うものである。
【００２９】
極力室内空気に対し高電圧放電を行うため、イオン発生部は、室内空気導入路の室内側の端部付近に設けられることが含まれる。また、イオン発生部の形状は電子を放出できるものであればいずれでもよいが、針状の放電針であり、直接空気中に電子を放出するものであることが含まれる。
【００３０】
上述のような構成により、本発明は、水分が多く存在する室内空気に対して高電圧放電を行うことができ、しかも室内空気のみの空気中で高電圧放電を行うことができるから、イオンが安定的に存在でき、もって多量のイオンを室内に提供することができる。
【００３１】
また、このような本発明の空調装置において、上記送風路は、上記エバポレータより下流で複数に分岐されて、複数の吹出口と連絡し、上記室内空気導入路は、上記送風路の分岐された少なくとも一路に連通しているようにしてもよい。
【００３２】
この発明は、吹出口が複数あるような、例えば自家用車等の車両に本発明の空調装置が備えられるような場合が含まれる。通常、自家用車等の車両においては、吹出口がデフロスタ、ベント、フットと複数あり、送風路も複数に分岐して分岐送風路となるものである。本発明は、このような自家用車等の車両においても、本発明によってイオンを大量に室内に供給できるものである。
【００３３】
また、このような本発明の空調装置において、上記送風路は、上記エバポレータより下流で複数に分岐されて、複数の吹出口と連絡し、上記室内空気導入路は、分岐される以前の上記送風路に連通しているようにしてもよい。
【００３４】
この発明は、例えば自家用車等の車両に本発明の空調装置が備えられるような場合が含まれ、吹出口がデフロスタ、ベント、フットと複数あり、送風路も複数に分岐されて分岐送風路となるものであっても、すべての吹出口からイオンを大量に室内に供給できるものであり、室内の隅々へのイオンの拡散が容易となり、室内のちりやごみ等を落下させることができ、室内環境が向上する。
【００３５】
上述のように、本発明は、送風路に対し室内空気導入路を連通させることにより、室内空気を取り込み、室内空気に対してのみ高電圧放電を行った。
【００３６】
他に、室内空気に対してのみ高電圧放電を行う空調装置として、空調空気がエバポレータを通過して吹出口から室内へ吹き出す空調装置であって、上記エバポレータが路内に配され、かつ上記吹出口と連絡する送風路と、室内空気の入口と、空調空気および室内空気の出口と、上記入口と上記出口の間に設けられて上記送風路と連通する連通孔とを有し、かつ上記連通孔より分流される上記送風路内の空調空気の負圧作用により上記入口から室内空気を取り入れて上記分流された上記送風路内の空調空気とともに上記出口より放出するアスピレータと、上記アスピレータ内の上記入口側であって、かつ上記連通孔よりも上流に設けられるイオン発生部と、を備えるようにすることもできる。
【００３７】
上述のような構成により、マイナスイオンが水分子と多数結合したまま安定的に存在しつづけ、もってエバポレータによって除湿してしまう空調装置であっても大量のイオンを室内に提供できるものである。
【００３８】
また、図５のアスピレータは、空調装置内の圧力を利用して車室内空気温度を吸込み検出する物として自動車用空調装置の自動制御に通常用いられるものであり、上述のような構成により、既存の空調装置においても特段の加工を施すことなく、イオン発生部を設置することが可能となり、設置コストの削減を図ることができる。
【００３９】
また、上述においては、図１に示すように、室内空気に対し高電圧放電を行うものであるが、水分が多く含まれる空気には、空調装置内のエバポレータを通過する前の空調空気もある。
【００４０】
そこで、本発明は、空調空気がエバポレータを通過して吹出口から室内へ吹き出す空調装置であって、上記エバポレータが路内に配され、かつ上記吹出口と連絡する送風路と、上記送風路から、上記エバポレータより上流で分岐し、かつ上記エバポレータより下流で合流するエバポレータ回避バイパスと、上記エバポレータ回避バイパス内に設けられるイオン発生部と、を備えるようにしてもよい。
【００４１】
上述のような構成により、エバポレータを通過しなかった空調空気は、十分に水分を含むものであり、このような空調空気のみに対して高電圧放電を行い、かつエバポレータを回避して吹出口よりイオンを吹き出させることができるので、マイナスイオンが水分子と多数結合したまま安定的に存在しつづけ、もってエバポレータによって除湿してしまう空調装置であっても大量のイオンを室内に提供できるものである。
【発明の効果】
【００４２】
本発明は、空調空気がエバポレータを通過して吹出口から室内へ吹き出す空調装置の内外の水分を多く含んだ空気に対して高電圧放電を行い、イオンを発生させ、発生させたイオンを、上記エバポレータ以後であって上記吹出口以前の空調空気と合流させるようにしたから、マイナスイオンが水分子と多数結合したまま安定的に存在しつづけ、もってエバポレータによって除湿してしまう空調装置であっても大量のイオンを室内に提供できるものである。
【発明を実施するための最良の形態】
【００４３】
以下、この発明の一実施形態について図２乃至図６に基づき詳細に説明する。尚、本発明における空調装置において、特に、空調空気の通り道の一つであるブロワから吹出口までの部分と空調空気を冷却する機構の一つであるエバポレータ部分を代表させて、それら部分を空調装置という。
【００４４】
まず、本発明の空調装置の第一の実施形態について、図２に基づき詳細に説明する。図２は、本発明の第一の実施形態に係る空調装置の断面図である。
【００４５】
図２に示すように、本実施形態における空調装置１は、自家用車等の車両に備えられるものであり、内部には、空調空気が通る送風路４が形成され、上流から順にブロワ８、エバポレータ２、ヒータ９が配されている。
【００４６】
この送風路４は、エバポレータ２が配された以後の下流で３方向に分岐して分岐送風路４ａ，４ａ，４ａとなる。空調装置１内部と室内の境界には、デフロスタ吹出口３ａとベント吹出口３ｂとフット吹出口３ｃがそれぞれ配されており、分岐送風路４ａ，４ａ，４ａと、それぞれ連接している。
【００４７】
また、ヒータ９には、温調ドア１０が回転自在に設置され、送風路４には、分岐送風路４ａに分岐する直前にモードドア１１，１１，１１が回転自在に設置されている。
【００４８】
ブロワ８は、図示しない駆動部により駆動されるファン８ａと、ファン８ａが収容されるスクロール室８ｂとで構成されている。ブロワ８は、ファン８ａがスクロール室８ｂ内でスクロール運動することにより、空調空気を送風路４へ送り出している。
【００４９】
エバポレータ２は、空調空気の冷却用熱交換器であり、図示しない冷凍サイクルの一部として送風路４内に配されている。このエバポレータ２は、内部の冷媒ガスを蒸発させるもので、冷媒ガスの蒸発に伴い、エバポレータ２を通過する空調空気から熱を吸熱させる。同時に空調空気の冷却に伴い、空調空気から液化した水分を除湿する。
【００５０】
ヒータ９は、空調空気の加熱用熱交換器であり、図示しない温水ラインの一部として送風路４内に配されている。このヒータ９は、エンジンの排熱を利用して高温になった温水によって発熱し、暖房時において空調空気を加熱する。温調ドア１０は、回転により、エバポレータ２を通過した空調空気を積極的にヒータ９に呼び込んで加熱するか、そのままヒータ９を通過させるか調整しており、空調装置１の冷暖房の設定によって回転量が制御される。
【００５１】
デフロスタ吹出口３ａは、フロントガラスに向けて空調空気を吹き出す吹出口であり、ベント吹出口３ｂは、乗員に向けて空調空気を吹き出す吹出口であり、フット吹出口３ｃは、乗員の足元に向けて空調空気を吹き出す吹出口である。モードドア１１は、空調装置１の設定によって開閉されるドアであり、空調装置１の設定が例えば、フットモードの場合には、デフロスタ吹出口３ａとベント吹出口３ｂが閉じられ、フット吹出口３ｃが開けられて、空調装置１の設定に合わせて、空調空気の分岐送風路４ａへの流入を制限している。
【００５２】
また、本実施形態において、このような空調装置１のベント吹出口３ｂに通じる分岐送風路４ａには、室内空気導入路５が連通している。室内空気導入路５は、室内と分岐送風路４ａ内を導通するものであり、一端部が分岐送風路４ａ内に突出し、他端部が分岐送風路４ａ外へ突出している。
【００５３】
この室内空気導入路５は、分岐送風路４ａを流れる空調空気の負圧によって、室内側の端部から、室内の室内空気を呼び込んで、分岐送風路４ａ側の端部から、呼び込んだ室内空気を発生したイオンとともに分岐送風路４ａ内に放出している。
【００５４】
室内空気導入路５内には、マイナスイオン７を発生させるため、マイナス極でなる放電針６が設置されている。この放電針６は、その周囲の空気が極力室内空気のみになるように、室内空気導入路５内の室内側の端部付近に設置されている。放電針６は、イオン発生ユニット６ａに接続されている。
【００５５】
イオン発生ユニット６ａは、放電針６に高電圧を印加するユニットであり、放電針６は、イオン発生ユニット６ａから高電圧を印加されると、高電圧放電を行い、室内空気導入路５内の空気中に電子を放出する。
【００５６】
上述のように構成される空調装置１において、空調空気の流れを説明する。ここでは、空調装置１は設定により、各吹出口へ通じるモードドア１１はすべて開かれ、かつ冷房に設定されているとする。
【００５７】
まず、空調装置１は、図示しない駆動部を駆動させ、ファン８ａをスクロール室８ｂ内でスクロール駆動させ、ブロワ８を機能させる。ブロワ８は、空調空気を送風路４に送り出す。この空調空気は、現時点において、車両室内または室外より取り込まれた空気であり、水分を十分に含有している。
【００５８】
送風路４に空調空気を送り出すと、送風力によりエバポレータ２を通過させる。このとき、エバポレータ２は、空調空気の熱を吸熱して冷却し、同時に、液化した空調空気内の水分を除湿する。この時点で、空調空気は、水分が除湿されてしまった水分含有量の少ない空気となる。
【００５９】
次に、エバポレータ２を通過した除湿後の空調空気を、冷房の設定によりそのままヒータ９を素通りさせ、モードドア１１をすべて開けて、３方向に分岐された分岐送風路４ａに流入させる。分岐送風路４ａに流入した空調空気を、各吹出口が車室内に吹き出させる。
【００６０】
このように、空調装置１における空調空気の流れでは、エバポレータ２を通過する前後で、空調空気内の水分含有量が変化する。
【００６１】
次に、上述のように構成される空調装置１において、マイナスイオン７の発生から室内に吹き出す流れを、放電針６とイオン発生ユニット６ａの動作、および室内空気の流れとともに説明する。
【００６２】
まず、エバポレータ２により除湿された空調空気にモードドア１１を通過させ、ベント吹出口３ｂに連接する分岐送風路４ａに流入させると、空調空気の流れにより、室内空気導入路５内に負圧を発生させる。
【００６３】
室内空気導入路５内に負圧が発生すると、室内空気導入路５の室内側端部より、室内空気が導入される。この室内空気は、エバポレータ２により除湿された空気ではないので、十分な水分を含有している。
【００６４】
ここで、イオン発生ユニット６ａを動作させ、放電針６に高電圧を印加する。高電圧が印加された放電針６は、その針先から室内空気導入路５内に導入されている室内空気に対し高電圧放電を行い、電子を放出する。
【００６５】
室内空気導入路５内に電子が放出されると、この電子は、室内空気内の酸素分子と衝突して、マイナスイオン７たる負の電荷を帯びた酸素原子を発生させる。マイナスイオン７の周囲には、室内空気が十分に水分を含有していることにより、直ちに、水分子が引き寄せられ、負の電荷を帯びた酸素原子と水分子が多数結合する。この結合により、マイナスイオン７は、安定した存在となり、長時間存在しつづけ、そのため、室内空気導入路５内を通過し、分岐送風路４ａ内に至る。
【００６６】
マイナスイオン７が安定した存在のまま分岐送風路４ａ内に放出されると、この状態を維持したまま分岐送風路４ａ内を送風されている空調空気とともに、ベント吹出口３ｂに向かい、車室内に吹き出し、車室内に拡散する。
【００６７】
このように、本実施形態においては、水分を多く含んだ空気として室内空気を使用し、マイナスイオンを発生させたので、マイナスイオン７は水分子と多数結合して安定的に存在でき、多量のマイナスイオン７を室内に提供することができる。また、マイナスイオン７を発生させる場所を室内空気のみが存在する空気中としたので、マイナスイオン７の存在量は、除湿された空調空気内での存在量に比して、はるかに多くなる。更に、このような多量のマイナスイオン７をエバポレータ２より下流の空調空気に合流させるようにしているので、マイナスイオン７がエバポレータ２を通る状況を回避でき、再びマイナスイオン７から水分子を分離させてしまうようなことはない。
【００６８】
次に、本発明の空調装置の第二の実施形態について、図３に基づき詳細に説明する。図３は、本発明の第二の実施形態に係る空調装置の断面図である。尚、本発明の第一の実施形態と同一部分については同一符号を付し、その詳細な説明を省略する。
【００６９】
上述の第一の実施形態は、送風路４が分岐した後の分岐送風路４ａに室内空気導入路５を連通させたものであったが、本実施形態は、分岐する前の送風路４と室内空気導入路５を連通させたものである。
【００７０】
図３に示すように、室内空気導入路５は、エバポレータ２より下流であって、分岐された分岐送風路４ａの分岐点より上流に連通している。
【００７１】
本実施形態において、室内空気導入路５から導入されるマイナスイオン７は、エバポレータ２より下流であって、分岐された分岐送風路４ａの分岐点より上流の送風路４内に放出されるものであるから、マイナスイオン７は、その後、モードドア１１が開かれているすべての分岐送風路４ａに流入し、すべての吹出口から吹き出すこととなる。
【００７２】
したがって、本実施形態においては、空調装置１がいかなる組み合わせでモードドア１１の開閉が行われても、開いているいずれかのモードドア１１からいずれかの分岐送風路４ａに流入でき、空調装置１がいかなる設定を行っていても車室内にマイナスイオン７を吹き出させ、拡散させることができる。
【００７３】
さらに、すべてのモードドア１１が開かれた状態であれば、すべての吹出口からマイナスイオン７が吹き出し、車室内の隅々まで速やかに拡散される。したがって、マイナスイオン７の効果として室内に浮遊するちりやごみ等と結合し、落下させる効果があるが、この効果により、車室内環境を迅速かつ隅々まで向上させることができる。
【００７４】
次に、本発明の空調装置の第三の実施形態について、図４および図５に基づき詳細に説明する。図４は、本発明の第三の実施形態に係る空調装置の断面図である。尚、本発明の第一の実施形態と同一部分については同一符号を付し、その詳細な説明を省略する。
【００７５】
上述の第一および第二の実施形態においては、送風路４の分岐前もしくは分岐後に室内空気導入路５を連通させるものであったが、本実施形態においては、空調装置１において温度調節を行うことを目的としたアスピレータ１２が備えられている場合に、このアスピレータ１２を利用したものである。
【００７６】
図４に示すように、空調装置１には、エバポレータ２よりも下流の送風路４にアスピレータ１２が接続されている。図５は、このアスピレータ１２部分の拡大断面図であるが、アスピレータ１２は、エバポレータ２よりも下流の送風路４に形成された連通孔１２ｃと連通するように接続されており、入口１２ａにアスピレータホース１３が取り付けられ、出口１２ｂが室内へ連通している。
【００７７】
連通孔１２ｃは、アスピレータ１２の内壁に突出した壁によりアスピレータ１２内部への隙間が狭くなるような形状を有しており、この連通孔１２ｃの形状により、送風路４から連通孔１２ｃを通り、アスピレータ１２内部へ分流される空調空気が負圧を発生させる。
【００７８】
アスピレータホース１３は、室内に連通しており、内部に配される温度センサ１４がアスピレータホース１３を流れる室内空気の温度を検知している。
【００７９】
アスピレータホース１３が取り付けられている入口１２ａ側には、放電針６が配置されており、この配置位置は、連通孔１２ｃよりもアスピレータホース１３側である。
【００８０】
アスピレータ１２は、連通孔１２ｃを通過する空調空気の分流による負圧により、アスピレータホース１３を介して、アスピレータ１２の入口１２ａに室内空気を流入させている。この室内空気は、さらにアスピレータ１２内を送風され、連通孔１２ｃで空調空気と混合され、出口１２ｂから室内へ吹き出される。
【００８１】
すなわち、アスピレータ１２内において、入口１２ａから連通孔１２ｃまでの空気は、室内空気のみであり、連通孔１２ｃから出口１２ｂまでの空気は、室内空気と空調空気の混合空気となる。
【００８２】
このようなアスピレータ１２にあっては、放電針６が入口１２ａ側であって、連通孔１２ｃよりも上流に配置されており、放電針６の周囲の空気は、室内空気のみとなっている。
【００８３】
放電針６は、このような空気中で高電圧放電を行うことによって、室内空気のみに対し電子を放出することができ、室内空気の水分含有量から多量のマイナスイオン７を存在させることができる。
【００８４】
次に、本発明の空調装置の第四の実施形態について、図６に基づき詳細に説明する。図３は、本発明の第四の実施形態に係る空調装置の断面図である。尚、本発明の第一の実施形態と同一部分については同一符号を付し、その詳細な説明を省略する。
【００８５】
上述の第一乃至第三の実施形態は、放電針６を室内空気のみが存在する個所に配置し、室内空気のみに対し高電圧放電を行うものであった。本発明の空調装置１にあっては、水分を多く含む空気にエバポレータ２により除湿される前の空調空気に着目し、このエバポレータ２により除湿される前の空調空気を利用することもできる。
【００８６】
図６に示すように、本実施形態においては、ブロワ８よりも下流であって、エバポレータ２よりも上流の送風路４からバイパス１５を分岐させている。このバイパス１５は、エバポレータ２を回避しており、エバポレータ２より下流の送風路４と再び連通している。このバイパス１５内には、放電針６が配置されている。
【００８７】
このような空調装置１は、ブロワ８によって、送風路４に空調空気を送風するが、エバポレータ２を通過する前に、一部の空調空気がバイパス１５内に流入する。このバイパス１５内に流入する空調空気は、エバポレータ２を通過する前のものであるので、除湿される前の水分を十分に含有した空調空気である。
【００８８】
バイパス１５内に配置された放電針６は、このような除湿される前の水分を十分に含有した空調空気に対して高電圧放電を行うこととなる。したがって、エバポレータ２を通過した後の空調空気に高電圧放電を行うことと比し、発生したマイナスイオン７は、十分に水分子と多数結合を行い、安定的に存在することができる。
【００８９】
この安定的に存在しているマイナスイオン７は、バイパス１５により再び、エバポレータ２より下流の送風路４に戻されるので、エバポレータ２を通過することがなく、水分子が分離されることはない。
【００９０】
したがって、本実施形態においても、多量のマイナスイオン７を室内に提供することができ、かつモードドア１１をすべて開けていれば、室内の隅々にまでマイナスイオン７が拡散し、室内環境も向上する。
【００９１】
このように、空調空気がエバポレータを通過して吹出口から室内へ吹き出す空調装置の内外の水分を多く含んだ空気に対して高電圧放電を行い、イオンを発生させ、発生させたイオンを、上記エバポレータ以後であって上記吹出口以前の空調空気と合流させるようにしたから、マイナスイオンが水分子と多数結合したまま安定的に存在しつづけることができる。さらに、除湿されてしまった空調空気と十分水分を含んだ空気の混合に対して高電圧放電を行うのではなく、十分水分を含んだ空気のみが存在する空気に対して高電圧放電を行い、後に除湿されてしまった空調空気と合流させるようにしたから、エバポレータによって除湿してしまう空調装置であっても大量のイオンを室内に提供できるものである。
【図面の簡単な説明】
【００９２】
【図１】本発明の基本概念図である。
【図２】本発明の第一の実施形態に係る空調装置の断面図である。
【図３】本発明の第二の実施形態に係る空調装置の断面図である。
【図４】本発明の第三の実施形態に係る空調装置の断面図である。
【図５】本発明の第三の実施形態に係るアスピレータ部分の拡大断面図である。
【図６】本発明の第四の実施形態に係る空調装置の断面図である。
【符号の説明】
【００９３】
１  空調装置
２  エバポレータ
３ａ  デフロスタ吹出口
３ｂ  ベント吹出口
３ｃ  フット吹出口
４  送風路
４ａ  分岐送風路
５  室内空気導入路
６  放電針
６ａ  イオン発生ユニット
７  マイナスイオン
８  ブロワ
８ａ  ファン
８ｂ  スクロール室
９  ヒータ
１０  温調ドア
１１  モードドア
１２  アスピレータ
１２ａ  アスピレータ入口
１２ｂ  アスピレータ出口
１２ｃ  連通孔
１３  アスピレータホース
１４  温度センサ
１５  バイパス
【図１】
2005289177.tif 000003
【図２】
2005289177.tif 000004
【図３】
2005289177.tif 000005
【図４】
2005289177.tif 000006
【図５】
2005289177.tif 000007
【図６】
2005289177.tif 000008